(57)【要約】【課題】水周りの作業にあたって邪魔になることがなく、整然と保管することが出来、かつ使用する摺洗具を着脱自在で使い勝手が良く、摺洗具の水切れがく、衛生的で、収納状態のコンパクトなスポンジホルダーを提供する。【解決手段】吸盤（３）を設けた筒状体スポンジホルダー（１）に、保持穴（５）を設け、一方筒状体の前記保持穴（５）の反対面には面ファスナー凸面（２）を設け、被保持体（４）となるスポンジたわし等の凹凸面を有する摺洗具や金たわし等を前記スポンジホルダー（１）の面ファスナー凸面（２）に押し当てて面着することが出来るスポンジホルダー。【選択図】    図１
2006312003.tif 000002
【特許請求の範囲】
【請求項１】
吸盤を設けたスポンジホルダーに、面ファスナー凸面を設け、スポンジたわし等の凹凸面を有する摺洗具をスポンジホルダーの面ファスナー凸面側に押し付けて面着することが出来、引っ張ることにより着脱出来ることを特徴とするスポンジホルダー。
【請求項２】
前記のスポンジホルダーは、吸盤（３）を設けた筒状体のスポンジホルダー（１）に吸盤（３）を差し込むための保持穴を設け、一方反対面には面ファスナー凸面を設けたことを特徴とする請求項１に記載のスポンジホルダー。
【請求項３】
前記スポンジホルダーは、筒状体以外の面ファスナー凸面の面着面が湾曲した形状であることを特徴とする請求項１または請求項２に記載のスポンジホルダー。
【発明の詳細な説明】
【技術分野】
【０００１】  この発明は、台所や浴室等に於いて、スポンジたわしや金たわし等の摺洗具をまとまり良く収納保管するスポンジホルダーに関する。
【背景技術】
【０００２】  従来、台所や風呂場に於いて食器や鍋類、浴槽、風呂桶等を洗浄する摺洗具として、スポンジたわしや金たわし等、その本体を手に持って摺洗する摺洗具には、洗浄効果を高めるため或いは汚れを落とすために凹凸のある摺洗具が多い。このような摺洗具の保管にあたっては、台所の水周り近くの壁面に浅い網カゴ状の収納容器或いは吸盤に摺洗具を挟み込んで収納するものが多く用いられる。【０００３】  先行技術としては、以下に挙げるものがある。特許文献１（スポンジ掛具）の技術にあっては、洗浄用等スポンジに面ファスナーを具備し、壁面に取り付ける構成から成っている。また、特許文献２（台所用たわしホルダー）の技術にあっては、祖巻きのコイル状バネでホルダー本体を形成し、ホルダー本体の一方端に吸盤を設けた構成から成っている。また、特許文献３（浴槽内取付け擦り具）の技術にあっては、スポンジの一面側に吸盤を設け、浴槽内に吸い付ける構成から成っている。また、特許文献４（洗い具ホルダー）の技術にあっては、吸着ベース部材に２本以上のアームを突設して形成された構成からなっている。【０００４】
【特許文献１】    実開平３−４９０６１号公報
【特許文献２】    実開平７−２７４４５号公報
【特許文献３】    特開平８−２１５２７５号公報
【特許文献４】    特開２００２−４７５号公報
【発明の開示】
【発明が解決しようとする課題】
【０００５】  ところで、このような摺洗具は、コンパクトに保管することが望まれ、保管にあたっては、台所の水周り近くの壁面に浅い網カゴ状の収納容器を取り付けて、これに上記摺洗具を収納していることが多い。しかし、前記収納容器は、それ自体で比較的広い空間を占領することから、水周り作業時に邪魔になる難点がある。すなわち、前記の収納容器は、その内部に摺洗具を載置して収納するため、大きなものとなり、広い空間を占領する。また、この容器は、収納されている摺洗具から水が滴り落ちるために、シンク内の壁面に取り付けられることが多いが、このシンク内で突き出した前記収納容器に手等が接触し、水周り作業の邪魔になることが懸念されるものであった。その他に、吸盤により摺洗具を収納する一見コンパクトに見えるタイプのものの中には、摺洗具を挟み込むもの及び上記特許文献４などがあるが、その場合、摺洗具の大きさ、形によっては摺洗具と収納容器に隙間の出来ることもあり、ずれ落ちることがある上、片手だけでなく、もう片方の手で押さえて挟み込むことになり、極めて簡単にひとつの動作で収納ができない。また、吸盤でシンク内側面に取り付ける摺洗具収納カゴ及び上記特許文献２は、水を含んだスポンジだけでなく数種類の摺洗具と収納カゴ自身の重みによって重量が増し、ずれ落ちることがある。さらに、外観体裁上はできるだけコンパクトなものの方がすっきりと見える。以上は、摺洗具収納カゴ或いは吸盤による収納容器が台所のシンク内に取り付けられた場合について説明しているが、台所内の他の壁面に取り付けられた場合の他、浴室の壁面に取り付けられた場合にも、上記と同様の問題が発生する。さらに、摺洗具に於いては、衛生的でなければいけない。上記特許文献３のように吸盤がスポンジから外せない取替え不能なものは、洗浄しにくい部分が出来、衛生的とはいえない。  その他の問題として、収納カゴ或いは上記吸盤によるその他の収納に於いてはシンクの大きさ、形、材質、広さなどにより設置しにくいものがある。  本発明は、上記従来の問題点を考慮したものであり、水周りの作業にあたって邪魔になることなく、スポンジたわし等凹凸のある摺洗具や金たわしをワンタッチで面着し、コンパクトにすっきりと収納することがで出来、かつ設置場所に於いても、シンク外の水平面、シンク内側面の垂直面、シンク外上部垂直面にでも設置できるので、上記設置条件の困難な場所であっても設置が出来る。そして、使用するスポンジなどの摺洗具を片手で引っ張るだけで取り外せ、着脱自在で使い勝手が良く、摺洗具の水切れもよく、また、摺洗具の外観体裁にも優れたスポンジホルダーを提供することを目的とする。
【課題を解決するための手段】
【０００６】  上記目的を達成するために、この発明に係るスポンジホルダーは、筒状体に形成されたスポンジホルダーを介して、スポンジを面着する調度良い位置に面ファスナー凸面を設け、その筒状体の反対面のに吸盤を差し込む保持穴を設け、その保持穴に吸盤を差込み、スポンジホルダーを台所のシンク内垂直面或いはシンク外の水平面或いは、シンク外背面の垂直面、浴室等の水周りの壁面もしくは水平面などに、吸盤を介して圧着し、スポンジたわし等の摺洗具をスポンジホルダーの面ファスナーに面着することを特徴とする。
【発明の効果】
【０００７】  以上のように、この発明に係るスポンジホルダーによれば、構造上極めて簡単なものであり、従って容易かつ安価に製造することが出来る。また、前記スポンジホルダーは、ホルダー自体が軽量で、コンパクトなものであるため、水周りの作業にあたって従来のものと比べ邪魔にならない。  摺洗具のコンパクトな保管状態であることで、外観体裁も良好なものとなる。片手で摺洗具を面着或いは引っ張るだけで着脱自在となり、使い勝手のよいものともなる。さらに、スポンジホルダーが筒状体であることで、面着部分が湾曲の面となり、スポンジたわしを垂直面で面着するより、面着し易く、安定する。  スポンジたわしの保管状態に於いては、スポンジホルダーが筒状体であることで、シンク側面の垂直面に接する部分が少ないため、スポンジたわしの乾きも速く、衛生的である。設置に於いては、シンク外の水平面に吸盤を圧着し、シンク内側に水滴が落ちるように設置出来、水はけが良く、スポンジの乾きが速く、衛生的である。また、他の設置方法として、シンク内側垂直面でも、シンク外背面垂直面などの設置が可能なので、シンクの深さ、幅などの違う多様な形のシンクに設置が出来る。その他の水周りでも設置できる。  面ファスナー凸面には、凹凸により面着面に汚れやゴミが溜まりにくい上、前記ホルダーは吸盤から引っ張ることで筒状体ホルダー部分を取り外せ、洗うことが出来、衛生上でも優れている。また、吸盤自体を度々取り外す必要がないので、吸盤の粘着力が衰えることも少ない。
【発明を実施するための最良の形態】
【０００８】  以下、この発明に係るスポンジホルダーを図面に示した一実施例に基づいて説明する。この実施形態に係るスポンジホルダー（１）は、台所のシンク内垂直面、シンク外の水平面、シンク外背面の垂直面などに取着されるものであり、軟質のポリ塩化ビニール等の合成樹脂等からなる一体成型品である。このホルダー（１）は、図面１に示すように、筒状体に形成され、壁面或いは水平面に取着可能な吸盤（３）とスポンジホルダー（１）に貼り付けられた面ファスナー凸面とからなる。【０００９】  スポンジホルダー（１）は、吸盤（３）に取り付けるための保持穴（５）を設け、その保持穴に差し込むことにより、吸盤を設けた上、スポンジホルダー（１）の保持穴の反対面には、面ファスナー凸面（２）を被保持体（４）であるスポンジたわしを面着するのに適当な位置に貼り付ける。このようにして構成されたこのホルダーは、被保持体（４）であるスポンジたわしをこのホルダーの面ファスナー凸面（２）へ面着することにより、収納ができる。    以上、この発明に係るスポンジホルダー（１）の実施形態について説明したが、本発明は上述した実施形態に特に限定されるものでなく、本発明を逸脱しない範囲に於いて種々の変更が可能である。例えば、図４、図５の実施例に示すように上記実施例に述べた筒状体ではなく、面ファスナー面着面が湾曲した形状も考えられ、筒状体以外の変形した形のもにも変更が可能である。また、図４の場合、吸盤（３）へ取り付ける方法としては、保持穴以外に挟み込む方法に変更も可能である。
【図面の簡単な説明】
【００１０】
【図１】本発明の一実施形態に係るスポンジホルダーを使用状態で示す斜視図である。
【図２】本発明の分解斜視図である。
【図３】本発明の断面図である。
【図４】本発明の他の実施形態に係るスポンジホルダーを示す斜視図である。
【図５】図４の断面図である。
【符号の説明】
【００１１】１  筒状体スポンジホルダー
２  面ファスナー凸面
３  吸盤
４  被保持体
５  保持穴
【図１】
2006312003.tif 000003
【図２】
2006312003.tif 000004
【図３】
2006312003.tif 000005
【図４】
2006312003.tif 000006
【図５】
2006312003.tif 000007